【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
少なくとも１つ以上の情報処理装置と接続可能な印刷装置であって、
前記情報処理装置から、印刷ジョブと該印刷ジョブに基づく印刷を終了させようとする時刻に関する情報とを受け付ける受付手段と、
実行中の印刷が終了した後に前記受付手段で受け付けた印刷ジョブに基づく印刷を開始する場合に、開始する該印刷が前記時刻に終了するか否かを判断する判断手段と、
前記判断手段によって、前記時刻に終了すると判断された場合には、前記実行中の印刷が終了した後に前記受付手段で受け付けた印刷ジョブに関する印刷を開始させ、前記判断手段によって、前記時刻に終了しないと判断した場合には、前記実行中の印刷を中断させて、前記受付手段で受け付けた印刷ジョブに基づく印刷を開始させる制御手段と、
を備えることを特徴とする印刷装置。
【請求項２】
前記制御手段が前記実行中の印刷を中断させた場合、前記受付手段で受け付けた印刷ジョブに基づく印刷が終了した後に、前記制御手段が中断させた印刷ジョブを実行することを特徴とする請求項１に記載の印刷装置。
【請求項３】
現在実行中の印刷ジョブの残りの印刷処理に要する時間と、前記受付手段で受け付けた印刷ジョブの印刷処理に要する時間と、現在の時刻から前記受付手段で受け付けた印刷を終了させる時刻までの残り時間とを算出する算出手段を更に備え、
前記判断手段は、前記算出手段で算出された時間に基づいて判断することを特徴とする請求項１又は２に記載の印刷装置。
【請求項４】
前記情報処理装置から、ユーザを識別する情報を受信する受信手段と、
ユーザ毎に、実行中の印刷ジョブの中断を許容する上限回数を管理する管理手段と、
を更に備え、
前記制御手段は、前記上限回数の中断が行なわれた印刷ジョブを実行中は、前記受付手段で受け付けた印刷ジョブが前記時刻に終了しないと前記判断手段が判断した場合であっても、実行中の印刷が終了した後に前記受付手段で受け付けた印刷ジョブを実行することを特徴とする請求項１乃至３のいずれか１項に記載の印刷装置。
【請求項５】
印刷ジョブに基づく印刷に対して該印刷ジョブを発行したユーザに課金する課金手段をさらに備え、該課金手段は、現在実行中の印刷ジョブを中断して印刷された印刷ジョブを発行したユーザに対しては通常よりも高い印刷料金を課金することを特徴とする請求項１乃至４のいずれか１項に記載の印刷装置。
【請求項６】
前記課金手段は、中断された印刷ジョブを発行したユーザに対しては通常よりも低い印刷料金を課金することを特徴とする請求項５記載の印刷装置。
【請求項７】
印刷ジョブを実行する印刷装置と該印刷装置に対して割り込み印刷ジョブを発行する少なくとも１つ以上の情報処理装置とを備える印刷システムであって、
前記情報処理装置は、
印刷ジョブと該印刷ジョブに基づく印刷を終了させようとする時刻に関する情報とを発行する発行手段と、
前記印刷装置は、
前記情報処理装置から前記印刷ジョブを受け付ける受付手段と、
実行中の印刷が終了した後に前記受付手段で受け付けた印刷ジョブに基づく印刷を開始する場合に、開始する該印刷が前記時刻に終了するか否かを判断する判断手段と、
前記判断手段によって、前記時刻に終了すると判断された場合には、前記実行中の印刷が終了した後に前記受付手段で受け付けた印刷ジョブに関する印刷を開始させ、前記判断手段によって、前記時刻に終了しないと判断した場合には、前記実行中の印刷を中断させて、前記受付手段で受け付けた印刷ジョブに基づく印刷を開始させる制御手段と、
を備えることを特徴とする印刷システム。
【請求項８】
少なくとも１つ以上の情報処理装置と接続可能な印刷装置における印刷方法であって、
前記情報処理装置から、印刷ジョブと該印刷ジョブに基づく印刷を終了させようとする時刻に関する情報とを受け付ける受付工程と、
実行中の印刷が終了した後に前記受付工程で受け付けた印刷ジョブに基づく印刷を開始する場合に、開始する該印刷が前記時刻に終了するか否かを判断する判断工程と、
前記判断工程によって、前記時刻に終了すると判断された場合には、前記実行中の印刷が終了した後に前記受付工程で受け付けた印刷ジョブに関する印刷を開始させ、前記判断工程によって、前記時刻に終了しないと判断した場合には、前記実行中の印刷を中断させて、前記受付工程で受け付けた印刷ジョブに基づく印刷を開始させる制御工程と、
を含むことを特徴とする印刷方法。
【請求項９】
請求項８に記載の印刷方法をコンピュータによって実現させるための制御プログラム。
【手続補正２】
【補正対象書類名】明細書
【補正対象項目名】０００９
【補正方法】変更
【補正の内容】
【０００９】
上記目的を達成するため、本発明に係る装置は、
少なくとも１つ以上の情報処理装置と接続可能な印刷装置であって、
前記情報処理装置から、印刷ジョブと該印刷ジョブに基づく印刷を終了させようとする時刻に関する情報とを受け付ける受付手段と、
実行中の印刷が終了した後に前記受付手段で受け付けた印刷ジョブに基づく印刷を開始する場合に、開始する該印刷が前記時刻に終了するか否かを判断する判断手段と、
前記判断手段によって、前記時刻に終了すると判断された場合には、前記実行中の印刷が終了した後に前記受付手段で受け付けた印刷ジョブに関する印刷を開始させ、前記判断手段によって、前記時刻に終了しないと判断した場合には、前記実行中の印刷を中断させて、前記受付手段で受け付けた印刷ジョブに基づく印刷を開始させる制御手段と、
を備えることを特徴とする。
【手続補正３】
【補正対象書類名】明細書
【補正対象項目名】００１０
【補正方法】変更
【補正の内容】
【００１０】
上記目的を達成するため、本発明に係るシステムは、
印刷ジョブを実行する印刷装置と該印刷装置に対して割り込み印刷ジョブを発行する少なくとも１つ以上の情報処理装置とを備える印刷システムであって、
前記情報処理装置は、
印刷ジョブと該印刷ジョブに基づく印刷を終了させようとする時刻に関する情報とを発行する発行手段と、
前記印刷装置は、
前記情報処理装置から前記印刷ジョブを受け付ける受付手段と、
実行中の印刷が終了した後に前記受付手段で受け付けた印刷ジョブに基づく印刷を開始する場合に、開始する該印刷が前記時刻に終了するか否かを判断する判断手段と、
前記判断手段によって、前記時刻に終了すると判断された場合には、前記実行中の印刷が終了した後に前記受付手段で受け付けた印刷ジョブに関する印刷を開始させ、前記判断手段によって、前記時刻に終了しないと判断した場合には、前記実行中の印刷を中断させて、前記受付手段で受け付けた印刷ジョブに基づく印刷を開始させる制御手段と、
を備えることを特徴とする。
【手続補正４】
【補正対象書類名】明細書
【補正対象項目名】００１１
【補正方法】変更
【補正の内容】
【００１１】
上記目的を達成するため、本発明に係る方法は、
少なくとも１つ以上の情報処理装置と接続可能な印刷装置における印刷方法であって、
前記情報処理装置から、印刷ジョブと該印刷ジョブに基づく印刷を終了させようとする時刻に関する情報とを受け付ける受付工程と、
実行中の印刷が終了した後に前記受付工程で受け付けた印刷ジョブに基づく印刷を開始する場合に、開始する該印刷が前記時刻に終了するか否かを判断する判断工程と、
前記判断工程によって、前記時刻に終了すると判断された場合には、前記実行中の印刷が終了した後に前記受付工程で受け付けた印刷ジョブに関する印刷を開始させ、前記判断工程によって、前記時刻に終了しないと判断した場合には、前記実行中の印刷を中断させて、前記受付工程で受け付けた印刷ジョブに基づく印刷を開始させる制御工程と、
を含むことを特徴とする。